(57)【特許請求の範囲】
【請求項１】
接点開閉機構と、オフ位置又はオン位置に移動されることにより接点開閉機構のオンオフを切り換えるハンドルと、ハンドルの移動経路へ進出するように付勢されてハンドルの移動を規制するハンドルロック手段と、ハンドルロック手段を前記移動経路から退出させてハンドルロック手段によるハンドルの移動規制を解除する解除手段と、これらを収納する器体とを備え、前記ハンドルロック手段は、ハンドルがオン位置又はオフ位置のいずれか一方に位置しているときはハンドルに前記進出方向で当接してハンドルの他方への移動を規制せず、ハンドルが他方に位置しているときは前記進出方向でのハンドルとの当接状態が解除されて前記移動経路へ進出し、ハンドルの一方への移動方向でハンドルに当接することでハンドルの一方への移動を規制するように構成されていることを特徴とする開閉器。
【請求項２】
前記解除手段は、押し操作が継続されている間のみ前記ハンドルロック手段を前記移動経路から退出させる押し釦であることを特徴とする請求項１に記載の開閉器。
【請求項３】
ハンドルロック手段は、長手方向の中央部で器体に回動自在に支持されており、長手方向一端側が前記ハンドルの位置規制に用いられるとともに長手方向他端側が解除手段と係合され、解除手段の操作に伴なって前記中央部を軸として回動するように構成されていることを特徴とする請求項２に記載の開閉器。
【請求項４】
前記器体には、ハンドルロック手段の長手方向他端側に当接して、ハンドルロック手段にかかる無理な負荷を吸収する補強部が設けられていることを特徴とする請求項３に記載の開閉器。
【発明の詳細な説明】
【技術分野】
【０００１】
本発明は、ハンドルの操作により接点を開閉駆動する開閉器に関する。
【背景技術】
【０００２】
従来から提供されている回路遮断器などのハンドルの操作により接点を開閉駆動（オンオフ）する開閉器では、予期しないハンドル操作によって接点がオンオフしてしまうことを防止するために様々な工夫が凝らされている。
【０００３】
例えば、開閉器のハンドルに別部材からなるハンドルロック部材を被嵌することで、ハンドルが不意に移動しないようにハンドルをロックするようにしたものが提供されている（特許文献１）。
【０００４】
また、開閉器の器体にスライド自在に設けたハンドルロック部材をハンドルの側面に設けたオン位置用嵌合部又はオフ位置用嵌合部に手動で嵌め込むことで、ハンドル位置をロックできる開閉器が提供されている（特許文献２）。
【特許文献１】実開平５−７５９４５号公報（第１図）
【特許文献２】特開２００２−２２２６２３号公報（第１図）
【発明の開示】
【発明が解決しようとする課題】
【０００５】
ところで、上記の特許文献１は、ハンドルをロックしたいときにのみハンドルロック部材を開閉器に取り付けるものであるから、ハンドルを移動させる際には、その都度ハンドルロック部材を開閉器から取り外す必要があった。そのため、開閉器からハンドルロック部材を取り外した際にハンドルロック部材を紛失してしまうおそれがあった。また、このようなハンドルロック部材は、使用者がその都度開閉器に取り付けるものであるから、使用者がハンドルロック部材を取り付けることを忘れて、ハンドルがロックされないまま使用される可能性があり、ハンドルのロックを確実に行えないという問題があった。
【０００６】
これに対して上記の特許文献２では、ハンドルロック部材を開閉器の器体にスライド自在に取り付けることで、ハンドルのロックを解除した際でもハンドルロック部材が器体から外れないようにしているから、特許文献１とは異なりハンドルロック部材を紛失してしまうことはない。しかしながら、この特許文献２においてもハンドルのロックは使用者が手動で行わなければならなかったので、特許文献１と同様に使用者がハンドルのロックをし忘れてしまうという可能性は依然として残ったままであった。
【０００７】
つまるところ、特許文献１，２のような従来の開閉器では、ハンドルのロックを確実に行うことができなかった。
【０００８】
本発明は上述の点に鑑みて為されたもので、その目的は、ハンドルのロックを簡単かつ確実に行える開閉器を提供することである。
【課題を解決するための手段】
【０００９】
上述の課題を解決するために、請求項１の開閉器の発明では、接点開閉機構と、オフ位置又はオン位置に移動されることにより接点開閉機構のオンオフを切り換えるハンドルと、ハンドルの移動経路へ進出するように付勢されてハンドルの移動を規制するハンドルロック手段と、ハンドルロック手段を前記移動経路から退出させてハンドルロック手段によるハンドルの移動規制を解除する解除手段と、これらを収納する器体とを備え、前記ハンドルロック手段は、ハンドルがオン位置又はオフ位置のいずれか一方に位置しているときはハンドルに前記進出方向で当接してハンドルの他方への移動を規制せず、ハンドルが他方に位置しているときは前記進出方向でのハンドルとの当接状態が解除されて前記移動経路へ進出し、ハンドルの一方への移動方向でハンドルに当接することでハンドルの一方への移動を規制するように構成されていることを特徴とする。
【００１０】
請求項２の開閉器の発明では、請求項１の構成に加えて、前記解除手段は、押し操作が継続されている間のみ前記ハンドルロック手段を前記移動経路から退出させる押し釦であることを特徴とする。
【００１１】
請求項３の開閉器の発明では、請求項２の構成に加えて、ハンドルロック手段は、長手方向の中央部で器体に回動自在に支持されており、長手方向一端側が前記ハンドルの位置規制に用いられるとともに長手方向他端側が解除手段と係合され、解除手段の操作に伴なって前記中央部を軸として回動するように構成されていることを特徴とする。
【００１２】
請求項４の開閉器の発明では、請求項３の構成に加えて、前記器体には、ハンドルロック手段の長手方向他端側に当接して、ハンドルロック手段にかかる無理な負荷を吸収する補強部が設けられていることを特徴とする。
【発明の効果】
【００１３】
本発明は、ハンドルをオン位置とオフ位置のいずれか一方から他方へ移動させた際にハンドルロック手段が付勢力によりハンドルの移動経路に進出してハンドルのロックが自動的に行われるから、ハンドルのロック作業を使用者が手動で行う必要がなくなり、これによりハンドルのロック忘れなどが起きることがなくなってハンドルのロックを確実に行うことができるという効果があり、しかもハンドルを一方から他方へ移動させるだけで、他に特別な操作を行わなくても自動的にハンドルがロックされるので、ハンドルのロックを簡単に行えるという効果がある。
【発明を実施するための最良の形態】
【００１４】
以下、本発明の一実施形態について、図１〜図４を参照して説明する。尚、以下の実施形態では、図１（ａ）の上方を開閉器の上方、図１（ａ）の下方を開閉器の下方、図１（ａ）の右方を開閉器の前方、図１（ａ）の左方を開閉器の後方、図１（ａ）の紙面奥方を開閉器の左方、図１（ａ）の紙面手前方を開閉器の右方とする。
【００１５】
本実施形態の開閉器は、図１（ａ），（ｂ）に示すように、固定接点１０と該固定接点１０に接離する可動接点３０とからなる接点開閉機構Ａと、固定接点１０が設けられた第１端子１と、可動接点３０が設けられた可動接触子３と、可動接触子３が固定された支持片３１と、可動接触子３に編組線Ｌを介して電気的に接続される第２端子２と、オフ位置又はオン位置に移動されることにより可動接触子３を移動させて接点開閉機構Ａのオンオフを切り換えるハンドル４と、ハンドル４の移動経路へ進出するように付勢されてハンドル４の移動を規制する（つまりはハンドル４をロックする）ハンドルロック手段となるハンドルロック部材５と、ハンドルロック部材５を前記移動経路から退出させてハンドルロック部材５によるハンドル４の移動規制を解除する解除手段となる解除レバー６と、これらが収納される器体Ｈとを備えている。そして、ハンドルロック部材５は、図１（ｂ）に示すようにハンドル４がオン位置に位置しているときは前記進出方向でハンドル４に当接してハンドル４のオフ位置への移動を規制せず、図１（ａ）に示すようにハンドル４がオフ位置に位置しているときは前記進出方向でのハンドル４との当接状態が解除されてハンドル４の移動経路へ進出し、ハンドル４に当接することでハンドル４のオン位置への移動を規制するように構成されている。
【００１６】
まず、器体Ｈに収納される部材、すなわち第１端子１と、第２端子２と、可動接触子３と、支持片３１と、ハンドル４と、ハンドルロック部材５と、解除レバー６とについて説明する。尚、器体Ｈには上記の部材の他に、ハンドル４と支持片３１とを連結するためのフック付きのコイルばねＣ１と、解除レバー６に復帰力を与えるためのコイルばねＣ２とが収納されるのであるが、これらは周知なものであるから説明は省略する。
【００１７】
第１端子１は、導電性を有する金属板から曲成され、器体Ｈから外方へ突出されて外部の電線などが接続される端子部１ａと、固定接点１０が形成される接点部１ｂと、端子部１ａ及び接点部１ｂを連結する連結部１ｃとを一体に備え、端子部１ａには外部の電線の接続などに用いられる円形の孔部１ｄが貫設されている。
【００１８】
第２端子２は、第１端子１と同様に導電性を有する金属板から曲成され、器体Ｈから外方へ突出されて外部の電線などが接続される端子部２ａと、編組線Ｈが半田付けなどにより接続される接続部２ｂと、端子部２ａ及び接続部２ｂを連結する連結部２ｃとを一体に備え、端子部２ａには外部の電線などの接続に用いられる円形の孔部２ｄが貫設されている。
【００１９】
可動接触子３は、導電性を有する長尺状の金属板を略く字状に折曲することで形成されており、長手方向一端側（図１（ａ）の下端側）に固定接点１０と接触離反する可動接点３０が設けられ、長手方向他端側（図１（ａ）の上端側）に一端が第２端子２の接続部２ｂに接続された編組線Ｌの他端が半田付けなどにより接続される。このように形成された可動接触子３は支持片３１に取り付けられて、器体Ｈに幅方向（左右方向）を回転軸として回動自在に収納される。
【００２０】
支持片３１は、合成樹脂などを用いて長尺の直方体状に形成され、可動接点３０が支持片３１の長手方向一端側（図１（ａ）の下端側）に位置するようにして可動接触子３がその前面側に固着される。また支持片３１の右側面の長手方向他端側（図１（ａ）の上端側）には、支持片３１を器体Ｈに幅方向を回転軸として回動自在に取り付けるための軸部３１ａが一体に突設されており、左側面においても同様に軸部３１ａと同軸上に位置する軸部（図示せず）が一体に突設されている。さらに、支持片３１の左側面の長手方向中央部には、ハンドル４と支持片３１とを連結するコイルばねＣ１のフックの一方が係合される係合突起３１ｂが一体に突設されている。
【００２１】
ハンドル４は、合成樹脂などを用いて形成され、図１（ａ），（ｂ）に示すように、ハンドル４を器体Ｈに回動自在に取り付けるための軸受けとなる切欠部４０ａが下端部に形成された平板部４０と、ハンドル４の回転軸を中心とした中心角が略１８０度の円弧状を有して平板部４０の上端側に形成された摺動部４１と、摺動部４１の略中央部に突設されたハンドル操作用のレバー（把持部）４２とを一体に備え、摺動部４１の前端部４１ａがハンドルロック部材５に当接する部位となる。また、平板部４０の左側面には、コイルばねＣ１のフックの他方が係合される係合突起４０ｂが設けられており、ハンドル４の係合突起４０ｂと支持片３１の係合突起３１ｂとをコイルばねＣ１で連結することで、ハンドル４と支持片３１とが連動するようにしている。
【００２２】
ハンドルロック部材５は、図４に示すように、合成樹脂などを用いて上下方向を長手方向とする略直方体状に形成されており、特にその長手方向一端側（上端側）の平坦部５０がハンドル４と当接してハンドル４の移動を規制する部位として用いられる。また、ハンドルロック部材５の右側面には幅方向を回転軸としてハンドルロック部材５を器体Ｈに取り付けるための軸部５ａが一体に突設されている。
【００２３】
一方、ハンドルロック部材５の左側面には、図２（ｂ）に示すように、軸部５ａと同軸上に位置する軸部５ｂが一体に突設されており、またその下端側には、後述する解除レバー６の係合部６ｃが配置される凹所５ｃが設けられている。さらに、ハンドルロック部材５の左側面の凹所５ｃに対応する面には、解除レバー６と係合するための係合軸部５ｄが一体に突設されている。また、ハンドルロック部材５の後面部には、ハンドル４を図１（ｂ）に示すようなオン位置に位置させた際にハンドル４の摺動部４１の前端部４１ａを一時的に収納するためのハンドル用の収納凹所５ｅが設けられている。
【００２４】
解除レバー６は、合成樹脂などを用いて形成されており、図４に示すように、略角柱状の本体部６ａと、本体部６ａの上端面に突設された円柱状の操作部６ｂと、本体部６ａの右側面の下端部から右斜め前方へ突設されてハンドルロック部材５の凹所５ｃに配置される前述の係合部６ｃと、本体部６ａの下端面に突設されてコイルばねＣ２に嵌め込まれる略円柱状の突部６ｄ（図１（ａ）参照）とを一体に備えている。また、係合部６ｃの右側面には、上方へいくほど後方へ傾斜した略弧状の係合溝６０が設けられており、この係合溝６０にハンドルロック部材５の係合軸部５ｃを係合することで、解除レバー６とハンドルロック部材５とが連結され、互いに連動するようにしている。
【００２５】
次に、上述した部材が収納される器体Ｈについて説明する。この器体Ｈは、図２（ａ）に示すように、第１ケース７と、第２ケース８とで構成されており、これらケース７，８はともに合成樹脂製のものである。
【００２６】
第１ケース７は、図１（ａ），（ｂ）に示すように、右面が開口した略Ｌ字の箱状に形成されており、その内部の上側がハンドル収納部７ａ、下側が接点収納部７ｂとして用いられる。この第１ケース７の上壁部には、ハンドル４のレバー４２を器体Ｈから外方（上方）へ突出させるための開口部７０が設けられており、開口部７０は、ハンドル４のレバー４２を回動自在に移動できるような大きさに形成されている。加えて、第１ケース７内の開口部７０の近傍には、ハンドル４の摺動部４１の上面側が摺動自在に当接されるリブ７０ｂが設けられており、これによりハンドル４が器体Ｈから脱落することを防止するようにしている。
【００２７】
また、第１ケース７の前壁部の下端側には、第１端子１の端子部１ａを器体Ｈから前方へ突出させるための孔部７１が設けられており、この孔部７１の近傍には、第１端子１の連結部１ｃを嵌入して第１端子１を固定するための固定用溝部７２が孔部７１と連通するようにして設けられている。同様に、第１ケース７の後壁部の上端側には、第２端子２の端子部２ａを器体Ｈから後方へ突出させるための孔部７３が設けられており、この孔部７３の近傍には、第２端子２の連結部２ｃを嵌入して第２端子２を固定するための固定用溝部７４が孔部７３と連通するようにして設けられている。加えて、第１ケース７のハンドル収納部７ａ及び接点収納部７ｂには、第１ケース７を第２ケース８に取り付けるための固定ねじＳが挿通される各一対のねじ挿通孔７５が第１ケース７の幅方向に貫設されている。
【００２８】
一方、第１ケース７のハンドル収納部７ａの底部（つまりは器体Ｈの左側部）には、図２（ａ），（ｂ）に示すように、上下方向を長手方向とする長尺箱状の解除レバー収納部７ｃが外方へ向けて突出形成されている。この解除レバー収納部７ｃは、解除レバー６の本体部６ａを上下方向に移動自在に収納できる程度の大きさに形成されており、その内部がハンドル収納部７ａ内と連通している。また、解除レバー収納部７ｃの上端部には、解除レバー６の操作部６ｂのみを外方へ突出させることができる大きさの孔部７６が形成されており、解除レバー収納部７ｃの下端部には、コイルばねＣ２を嵌入して固定するための凹部７７が形成されている。
【００２９】
さらに、ハンドル収納部７ａの底面（つまりは器体Ｈの左内側面）の前端側にはハンドルロック部材５の軸部５ｂに対応する軸受け孔７８（図２（ｂ）参照）が形成され、後端側には後述する中ケース９を取り付けるための嵌合部（図示せず）が形成されている。加えて、ハンドル収納部７ａの底面の前後方向における中央部には、支持片３１の図示しない軸部に対応する軸受け孔（図示せず）が形成されている。
【００３０】
第２ケース８は、図２（ａ）に示すように、第１ケース７に対してほぼ左右対称となるように、左面が開口した略Ｌ字の箱状に形成されている。この第２ケース８の上壁部には、第１ケース７の開口部７０と連通してハンドル４のレバー４２を器体Ｈから外部へ突出させる開口部８０が設けられており、この開口部８０は、第１ケース７の開口部７０と同様にハンドル４のレバー４２を回動自在に移動できるような大きさに形成されている。加えて、第２ケース８内の開口部８０の近傍には、第１ケース７と同様に、ハンドル４の摺動部４１の上面側が摺動自在に当接されるリブ（図示せず）が設けられており、第１ケース７のリブ７０ｂとともにハンドル４が器体Ｈから脱落することを防止している。
【００３１】
また、第２ケース８において、第１ケース７の４つのねじ挿通孔７５と対応する部位には、固定ねじＳ用のねじ孔（図示せず）が第２ケース８の幅方向に凹設されている。さらに、第２ケース８の底面（つまりは器体Ｈの右内側面）には、図２（ｂ）に示すように、ハンドルロック部材５の軸部５ａに対応する軸受け孔８１が形成されている。加えて、図２（ｂ）に示すように、ハンドルロック部材５の長手方向他端側（下端側）と対向する第２ケース８の部位には、ハンドルロック部材５の回動を邪魔しない程度の隙間を隔てて、ハンドルロック部材５にかかる無理な負荷を吸収して、ハンドルロック部材５の破損などを防止するための補強部８２が設けられている。
【００３２】
上述した第１ケース７と第２ケース８とで器体Ｈは構成されているが、この器体Ｈには、ハンドル４などを取り付けるための補助部材となる前述の中ケース９が設けられている。この中ケース９は、合成樹脂などを用いて形成されており、図１（ａ），（ｂ）に示すように、器体Ｈの左右側面にほぼ平行する支持板９０と、支持板９０を第１ケース７に固定するための固定部９１とを一体に備えている。この支持板９０の右側面には、ハンドル４の切欠４０ａに軸支される軸部９０ａが突設されている。また、支持板９０には、支持片３１の軸部（図示せず）を軸支する第１ケース７の軸受け孔（図示せず）と対応する位置に、支持片３１の軸部３１ａを軸支する軸受け孔９０ｂが貫設されている。
【００３３】
以上の部材により本実施形態の開閉器は構成されており、以下に本実施形態の開閉器の組み立て方法について説明する。まず、第１端子１を第１ケース７に取り付けるのであるが、この取り付け作業は、図１（ａ）に示すように第１端子１の端子部１ａを第１ケース７の孔部７１から器体Ｈの前方へ突出させるとともに、第１端子１の連結部１ｃを第１ケース７の固定用溝部７２に嵌入することで行われ、これにより第１端子１は、接点部１ｂに設けられた固定接点１０を後方へ向けた状態で、第１ケース７に取り付けられる。次に、第２端子２の第１ケース７への取り付けを行うのであるが、この取り付け作業は、第１端子１の場合と同様に、端子部２ａを第１ケース７の孔部７３から後方へ突出させるとともに、第２端子２の連結部２ｃを第１ケース７の固定用溝部７４に嵌入することで行う。
【００３４】
この後に、解除レバー６の操作部６ｂを図２（ａ）に示すように孔部７６から器体Ｈの上方へ突出させるとともに係合部６ｃをハンドル収納部７ａに突出させた状態で、解除レバー６を第１ケース７の解除レバー収納部７ｃに収納する。同時に、解除レバー６の突部６ｄと、解除レバー収納部７ｃの凹部７７との間に、解除レバー６を上方へ付勢して復帰力を与えるためのコイルばねＣ２を配設する。これにより解除レバー６は、解除レバー収納部７ｃの上壁の後面に本体部６ａの上端面が弾接するとともに孔部７６より操作部６ｂを器体Ｈの上方へ突出させた状態（図１（ａ）に示す状態）を初期位置として、解除レバー収納部７ｃ内に収納される。これにより、操作部６ｂをコイルばねＣ２の付勢に逆らって下方へ押し込むことで下方へ移動し、操作部６ｂの押し込みを解除することで、コイルばねＣ２の付勢力によって上方へ移動して初期位置へと復帰する押し釦が構成される。
【００３５】
このようにして解除レバー６が第１ケース７に取り付けられた後には、ハンドルロック部材５が第１ケース７に取り付けられる。ここで、ハンドルロック部材５は、図２（ｂ）に示すように、軸部５ｂを第１ケース７の軸受け孔７８に軸支させるとともに、凹所５ｃに配置される解除レバー６の係合部６ｃの係合溝６０に係合軸部５ｄを係合させた状態で第１ケース７に取り付けられる。
【００３６】
ここで、解除レバー６が上述の初期位置にある際には、図１（ａ）に示すように、ハンドルロック部材５の係合軸部５ｄは、解除レバー６の係合溝６０の下端部に位置している。このとき係合軸部５ｄは器体Ｈの前壁に最も近接した状態となり、逆にハンドルロック部材５の平坦部５０は器体Ｈの前壁から最も離間して、ハンドル４の移動経路に進出した状態となっている。このようにハンドルロック部材５は、解除レバー６と連動するようになっているので、解除レバー６を初期位置へ復帰させるためのコイルばねＣ２によって、平坦部５０がハンドル４の移動経路へ進出するように付勢されている。
【００３７】
また、第１ケース７には、可動接触子３が固定された支持片３１と、中ケース９と、ハンドル４と、コイルばねＣ１とが次のようにして取り付けられる。まず、支持片３１を第１ケース７に取り付けるのであるが、この取り付け作業は、支持片３１の軸部（図示せず）を第１ケース７の軸受け孔（図示せず）に軸支させることで行われ、このとき可動接触子３に設けられた可動接点３０と第１端子１の固定接点１０とが対向するようにして、接点開閉機構Ａを構成する。この後に、ハンドル４のレバー４２を開口部７０から器体Ｈの上方へ突出させるとともに、ハンドル４の摺動部４１の上端面をリブ７０ｂに摺接させ、さらにコイルばねＣ１によりハンドル４の係合突起４０ｂと支持片３１の係合突起３１ｂとを連結した状態で、ハンドル４を第１ケース７のハンドル収納部７ａ内に配置する。
【００３８】
同時に、第１ケース７の嵌合部（図示せず）に中ケース９の固定部９１を嵌入することで中ケース９を第１ケース７に取り付けるのであるが、このとき中ケース９の支持板９０の軸受け孔９０ｂに支持片３１の軸部３１ａを軸支させるとともに、支持板９０の軸部９０ａをハンドル４の切欠４０ａに軸支させる。これにより、ハンドル４及び支持片３１が器体Ｈの幅方向を回転軸として回動自在に取り付けられることになる。このようにして取り付けられたハンドル４及び支持片３１は、コイルばねＣ１により互いに連結されているので、ハンドル４が回動した際には、支持片３１がコイルばねＣ１により引っ張られてハンドル４に連動して回動するようになっている。
【００３９】
特に本実施形態の開閉器では、ハンドル４を図１（ｂ）に示すオン位置に位置させるために、図１（ａ）に示すオフ位置からハンドル４のレバー４２を器体Ｈの前方へ移動させた（つまりハンドル４を図１における時計回り方向に回動させた）際には、支持片３１はハンドル４に連動して前方へ移動（図１における反時計回り方向へ回動）して、両接点１０，３０が所定の接圧で接触するようになっている。逆に、ハンドル４を図１（ａ）に示すオフ位置に位置させるために、図１（ｂ）に示すオン位置からハンドル４のレバー４２を器体Ｈの後方へ移動させた（つまりハンドル４を図１における反時計回り方向に回動させた）際には、支持片３１はハンドル４に連動して後方へ移動（図１における時計回り方向へ回動）して、両接点１０，３０が離反するようになっている。
【００４０】
このようにして支持片３１と、中ケース９と、ハンドル４と、コイルばねＣ１とを第１ケース７に取り付けた後には、可動接触子３の上端部と第２端子２の接続部２ｂとを絶縁被覆された編組線Ｌを用いて電気的に接続する。このように比較的柔らかく可撓性を有する編組線Ｌを用いて第２端子２と可動接触子３とを接続することにより、可動接触子３が回動した際に接続外れや接続不良等の悪影響が生じることを防止している。
【００４１】
最後に、図２（ａ）に示すように、第１ケース７の右面開口を閉塞するように第２ケース８を第１ケース７に被着する。このとき、図２（ａ）に示すようにハンドル４のレバー４２を開口部８０から器体Ｈの上方へ突出させるとともに、ハンドル４の摺動部４１の上端面を第２ケース８のリブ（図示せず）に摺接させ、さらに第１ケース７の４つのねじ挿通孔７５と第２ケース８の４つのねじ孔（図示せず）とを連通させ、且つ図２（ｂ）に示すようにハンドルロック部材５の軸部５ａを第２ケース８の軸受け孔８１に軸支させた状態とする。この状態で、固定ねじＳを、第１ケース７のねじ挿通孔７５を介して第２ケース８の各ねじ孔（図示せず）に螺入することで、図２（ａ）に示すような本実施形態の開閉器が完成する。
【００４２】
次に、この開閉器の動作について説明する。初期状態では図１（ａ）に示すようにハンドル４のレバー４２が器体Ｈの後方に位置した状態となっているとすると、ハンドル４に連動する支持片３１も器体Ｈの後方に位置し、接点開閉機構Ａは接点オフとなっている。また、解除レバー６を押し操作していない場合は、解除レバー６はコイルばねＣ２により上方へ押し上げられて初期位置に位置しているので、ハンドルロック部材５の係合軸部５ｄは解除レバー６の係合溝６０の下端部に位置し、これに伴なって上述したようにハンドルロック部材５の平坦部５０が器体Ｈの前壁から最も離間して、ハンドル４の移動経路に進出した状態となっている。
【００４３】
上記の図１（ａ）に示す接点オフの状態では、上述したようにハンドルロック部材５の平坦部５０がハンドル４の移動経路に進出した状態となっているので、ハンドル４のレバー４２を前方へ移動させて接点をオンにしようとしても、ハンドル４の摺動部４１の前端部４１ａにハンドルロック部材５０の平坦部５０がハンドル４のオン位置への移動方向（図１（ａ）における時計回り方向）で当接してハンドル４の移動が規制されるから、ハンドル４をオン位置へ移動させることができないようになっている。つまり、ハンドル４がオフ位置にロックされた状態となっているのである。
【００４４】
したがって、不意にハンドル４のレバー４２に力が加えられても、ハンドル４はハンドルロック部材５によりオフ位置にロックされているので、接点開閉機構Ａがオンになることはない。また、本実施形態の開閉器には、図２（ｂ）に示すような補強部８２を設けているので、ハンドル４がロックされている状態でハンドル４を無理に動かそうとして、ハンドルロック部材５に無理な力が加えられても、ハンドルロック部材５の下端部が補強部８２に当接することによって、ハンドルロック部材５の限度を越えた無理な移動が抑制される。これにより、ハンドルロック部材５の破損、特に軸部５ａ，５ｂの破損を防止することが可能になる。
【００４５】
ハンドル４のロック状態を解除するためには、コイルばねＣ２の付勢に逆らって操作部６ｂを器体Ｈ内へ押し込んで解除レバー６を下方へ移動させればよい。このようにして解除レバー６を下方へ移動させると、当然ながら解除レバー６の係合部６ｃも下方へと移動するので、ハンドルロック部材５の係合軸部５ｄが相対的に係合部６ｃの係合溝６０の上方へ移動することになる。この係合溝６０は上方へいくほど後方へ傾斜した略弧状に形成されているので、ハンドルロック部材５の係合軸部５ｂは係合溝６０により器体Ｈの後方へと誘導される。これに伴なってハンドルロック部材５が軸部５ａ，５ｂを回転中心として回動（図１における時計回り方向に回動）し、その結果、平坦部５０が器体Ｈの前方へと移動する。
【００４６】
この回動動作によりハンドルロック部材５は、図３に示す状態となる。この状態では係合軸部５ｄは器体Ｈの前壁から最も離間した状態となり、逆にハンドルロック部材５の平坦部５０は器体Ｈの前壁に最も近接してハンドル４の移動経路から退出した状態となるから、ハンドルロック部材５によるハンドル４のロックが解除される。このようにハンドル４のロックが解除された状態は、解除レバー６の押し込みが継続されている間だけ維持され、解除レバー６の押し込みを止めると、解除レバー６はコイルばねＣ２の付勢により初期位置へ復帰し、同時にハンドルロック部材５も図１（ａ）に示す状態へと復帰する。つまり、解除レバー６は、押し操作が継続されている間のみハンドルロック部材５がハンドル４の移動経路に進出しないようにハンドルロック部材５を進出方向と反対方向へ移動させる押し釦となっている。
【００４７】
したがって、開閉器の接点開閉機構Ａをオンにする際には、解除レバー６を押し込んでハンドル４のロックを解除したままの状態で、ハンドル４のレバー４２を前方へと倒せばよい。これによりハンドル４が図１（ｂ）に示すようにオン位置へと移動し、このハンドル４の移動に連動して支持片３１が前方へ移動して可動接点３０が固定接点１０に所定の接圧で接触し、接点開閉機構Ａがオンとなる。尚、このようにハンドル４をオン位置へ移動させた際には、ハンドルロック部材５に設けた収納凹所５ｅ内にハンドル４の摺動部４１の前端部４１ａが一時的に収納されるようにしているので、ハンドルロック部材５によりハンドル４の移動が妨げられることがない。
【００４８】
ところで、本実施形態の開閉器では、一旦ハンドル４をオン位置に位置させた後には、解除レバー６の押し操作を止めてもハンドル４がロックされることがないようになっている。これは、図１（ｂ）に示すオン状態では、ハンドルロック部材５の平坦部５０が進出する移動経路にハンドル４の摺動部４１が位置しているため、ハンドルロック部材５は、平坦部５０がハンドル４にその進出方向で当接した状態となって、ハンドル４によってハンドルロック部材５の移動が規制されるためである。
【００４９】
そして、図１（ｂ）に示す接点オンの状態から、図１（ａ）に示す接点オフの状態とするには、単にレバー４２を後方へ移動させればよく、このレバー４２の移動に伴なってハンドル４がオフ位置に移動し、同時に支持片３１が後方へ移動して固定接点１０から可動接点３０が離間し、これにより接点開閉機構Ａがオフとなる。このようなハンドル操作時には、ハンドルロック部材５は、自身の進出方向でハンドル４と当接しているため、ハンドルロック部材５によりハンドル４の移動が規制されることはない。そして、ハンドル４がオフ位置に位置した際には、ハンドルロック部材５の進出方向でのハンドルロック部材５とハンドル４との当接状態が解除されるので、図１（ａ）に示すように、ハンドルロック部材５がコイルばねＣ２の付勢力により再びハンドル４の移動経路に進出し、これによってハンドル４のオン位置への移動が規制される。
【００５０】
以上述べたように、本実施形態の開閉器によれば、ハンドルロック部材５をハンドル４の移動経路へ進出するように付勢し、ハンドル４がオン位置に位置しているときはハンドル４と前記進出方向で当接してハンドル４のオフ位置への移動を規制せず、ハンドル４がオフ位置に位置しているときは前記進出方向でのハンドル４との当接状態が解除されてハンドル４の移動経路へ進出し、ハンドル４のオン位置への移動方向でハンドル４と当接することでハンドル４のオン位置への移動を規制するように構成している。
【００５１】
そのため、ハンドル４をオン位置からオフ位置へ移動させた際には、ハンドルロック部材５が付勢力によりハンドル４の移動経路に進出して、ハンドル４のロックが自動的に行われるから、ハンドル４のロック作業を使用者が手動で行う必要がない。これによりハンドル４のロック忘れなどが起きることがなくなるので、ハンドル４のロックを確実に行うことができる。しかもハンドル４をオフ位置へ戻せば、他に特別な操作を行わなくても自動的にハンドル４がロックされるので、ハンドル４のロックを簡単に行える。
【００５２】
また、解除レバー６は、押し操作が継続されている間のみハンドルロック部材５をハンドル４の移動経路から退出させる押し釦となっているので、解除レバー６の押し操作を止めることによりハンドルロック部材５が自動的にハンドル４をロックする位置へ復帰するようになっている。そのため、ハンドル４をオン位置からオフ位置へ移動させる際には解除レバー６の操作を行う必要がない（解除レバー６の操作はハンドル４をオフ位置からオン位置へ移動させるときのみ行えばよい）から、ハンドル４のロック作業がさらに簡単になる。
【００５３】
さらに、ハンドルロック部材５を、長手方向の中央部に突設した軸部で器体Ｈに回動自在に支持させて、上端側の平坦部５０をハンドル４の位置規制に用いるとともに下端側の係合軸部５ｄにて解除レバー６と係合させ、解除レバー６の操作に伴なって前記軸部を軸として回動するように設定することで、ハンドルロック部材５と解除レバー６とが互いに連動するようにしている。そのため、図１（ｂ）に示すように、ハンドル４によってハンドルロック部材５の移動が規制されていると、解除レバー６から手を離したとしても、ハンドルロック部材５の係合軸部５ｄの位置が固定されていることにより解除レバー６の上方への移動が規制され、解除レバー６は押し込まれたままの状態となる。
【００５４】
一方、図１（ａ）に示すように、ハンドルロック部材５がハンドル４の移動を規制する位置に位置しているときは、解除レバー６は押し込まれていない状態となる。つまり、本実施形態の開閉器では、ハンドルロック部材５がハンドル４の移動を規制する位置に位置しているときは、解除レバー６は押し込まれていない状態となり、ハンドルロック部材５がハンドル４の移動を規制しない位置に位置しているときは、解除レバー６は押し込まれた状態となるので、ハンドル４がオン位置に位置しているかオフ位置にしているかを解除レバー６が押し込まれた状態となっているかどうかを見るだけで判断することができる。
【００５５】
加えて、器体Ｈには、上述したようにハンドルロック部材５の長手方向他端側（下端側）に当接して、ハンドルロック部材５にかかる無理な負荷を吸収する補強部８２を設けているので、ハンドル４がロックされている状態でハンドル４を無理に動かそうとしてハンドルロック部材５に過剰な負荷をかけてしまっても、ハンドルロック部材５の下端部が補強部８２に当接することによって、ハンドルロック部材５の無理な移動が抑制される。そのため、ハンドルロック部材５の破損、特に軸部５ａ，５ｂの破損を防止できる。
【００５６】
尚、上記の例では、ハンドル４をオフ位置に固定するようにしているが、ハンドル４をオン位置に固定するようにしてもよいし、ハンドル４をオン位置とオフ位置のそれぞれの位置で固定するように、例えばハンドルロック部材５と解除レバー６との組を二組設けるようにしてもよい。また尚、接点開閉機構Ａの構成も上記の例に限らず、使用形態に応じて好適なものを用いればよいし、過電流が流れた際に、自動的に接点がオフとなるようにしてもよい。
【図面の簡単な説明】
【００５７】
【図１】（ａ）は、本発明の開閉器の接点オフ状態を示す説明図であり、（ｂ）は、接点オン状態を示す説明図である。
【図２】（ａ）は、本発明の開閉器の斜視図であり、（ｂ）は、本発明の開閉器の一部を切り欠いた前面図である。
【図３】本発明の開閉器の動作説明図である。
【図４】本発明の開閉器の要部の組み立て説明図である。
【符号の説明】
【００５８】
４    ハンドル
５    ハンドルロック部材
６    解除レバー
Ｈ    器体
Ａ    接点開閉機構
【図１】
0004612496.tif 000002
【図２】
0004612496.tif 000003
【図３】
0004612496.tif 000004
【図４】
0004612496.tif 000005